(57)【要約】【課題】花や故人ゆかりの物等の、棺上の載置物が落ちないようにするための棺用掛帯を提供する。【解決手段】棺用掛帯１０は、帯状の表地１１と、その表地１１と同形状の裏地１２が重ねられ、表地１１の外周と裏地１２の外周が一部の非縫合部（第１非縫合部１３１、第２非縫合部１３２）を除いて縫合されており、裏地１２を棺に固定する固定手段１５を備える。固定手段１５を用いて棺用掛帯１０を棺に固定すると共に、非縫合部に載置物を挿入することにより、載置物が棺上から落下することを防ぐことができる。【選択図】図１
0003153392.tif 000002
【実用新案登録請求の範囲】
【請求項１】
帯状の表地と、該表地と同形状の裏地が重ねられ、該表地の外周と該裏地の外周が一部の非縫合部を除いて縫合されており、該裏地を棺に固定する固定手段を備えることを特徴とする棺用掛帯。
【請求項２】
前記表地及び前記裏地の帯の長手方向の１辺に第１の非縫合部が、前記１辺に対向する辺に第２の非縫合部が、それぞれ設けられていることを特徴とする請求項１に記載の棺用掛帯。
【請求項３】
前記第１非縫合部よりも前記第２非縫合部の方が長いことを特徴とする請求項２に記載の棺用掛帯。
【考案の詳細な説明】
【技術分野】
【０００１】
本考案は、棺に掛ける掛帯に関する。
【背景技術】
【０００２】
葬儀の際には多くの場合、参列者が棺の周りに集まり、棺に納められた亡骸の周囲に花や故人のゆかりの物等を入れつつ、故人に別れを告げる。その後、棺を蓋で閉じ、火葬場等に向けて出棺される。
【０００３】
特許文献１には、棺を蓋で閉じた際に、蓋の上から棺の両側面にかけて、棺を封印する帯を取り付けることが記載されている。この帯は、両端にピンや両面接着テープ等の固定具が設けられており、それらの固定具で棺の両側面に固定される。表地は花などをあしらったジャガード織で装飾され、裏地は参列者が寄せ書きをすることができるように白生地が用いられている。
【先行技術文献】
【特許文献】
【０００４】
【特許文献１】実用新案登録第3124947号公報（[0013]-[0018], 図1-5）
【考案の概要】
【考案が解決しようとする課題】
【０００５】
棺に蓋がされると棺内を見ることができないため、蓋がされた後にも花やゆかりの物等が見えるように、これらの物を棺の蓋の上に載置することがある。これにより、出棺を見送る際等に、これらの載置物が参列者の目に留まり、改めて故人を偲ぶ思いを参列者に抱かせることができる。しかし、棺は亡骸に合わせて細長い形状を有するため、出棺の際等に、載置物が棺の幅方向にずれて下に落ちてしまうおそれがある
【０００６】
本考案が解決しようとする課題は、棺上の載置物が落ちないようにするための棺用掛帯を提供することである。
【課題を解決するための手段】
【０００７】
上記課題を解決するために成された本考案に係る棺用掛帯は、帯状の表地と、該表地と同形状の裏地が重ねられ、該表地の外周と該裏地の外周が一部の非縫合部を除いて縫合されており、該裏地を棺に固定する固定手段を備えることを特徴とする。
【０００８】
本考案に係る棺用掛帯を使用する際は、固定手段により裏地を棺に固定したうえで、花やゆかりの物を非縫合部に差し込むことによってそれらの物を棺用掛帯に固定する。これにより、これらの物が棺の上から落下することを防ぐことができる。
【０００９】
本考案に係る棺用掛帯は、前記表地及び前記裏地の帯の長手方向の１辺に第１の非縫合部を、前記１辺に対向する辺に第２の非縫合部を、それぞれ備えることができる。これにより、棺用掛帯の幅方向全体を用いて載置物をより安定に保持することができる。
【００１０】
第１非縫合部と第２非縫合部を有する場合、前記第１非縫合部よりも前記第２非縫合部の方を長くしておくことができる。この構成は花束を保持するのに適している。花束は、植物の茎の部分が束ねられ、その束ねられた部分よりも花の部分の方が拡がっている。そこで、この棺用掛帯では、花束は、茎の部分が第１非縫合部に、花の部分が第２非縫合部に、それぞれ来るように固定する。これにより、茎の部分は第１非縫合部で確実に保持することができると共に、花の部分は第２非縫合部にあまり拘束されず、ボリュームのある拡がった状態を維持することができる。
【考案の効果】
【００１１】
本考案によれば、花や故人ゆかりの物等の載置物を非縫合部に挿入することにより棺用掛帯に固定することができ、且つ、固定手段により棺用掛帯を棺に固定することができる。そのため、載置物が棺から落ちることなく出棺等を行うことができる。
【図面の簡単な説明】
【００１２】
【図１】本考案に係る棺用掛帯の一実施例を示す(a)上面図、(b)下面図、(c)A方向（第１非縫合部側）側面図、及び(d)B方向（第２非縫合部側）側面図。
【図２】第１非縫合部及び第２非縫合部を開いた状態でB方向から開口内を見た概略図。
【図３】本実施例の棺用掛帯の使用方法を説明する斜視図。
【図４】本実施例の棺用掛帯の第１非縫合部及び第２非縫合部に花束を挿した状態を示す(a)A方向側面図及び(b)B方向側面図。
【考案を実施するための形態】
【００１３】
本考案に係る棺用掛帯の一実施例を、図１〜図４を用いて説明する。
【実施例】
【００１４】
本実施例の棺用掛帯１０は、表地１１と裏地１２を重ねて縫合したものである。表地１１及び裏地１２は共に八角形状であり、その八角形のうち対向する２辺を他の辺よりも長くする（以下、これら２辺を「長辺」とする）ことにより、帯状の形状を成している。表地１１の表面には彩色及び花柄の刺繍が施されている。一方、裏地１２は基本的に白の無地であり、帯の中央付近に「想い出／ありがとう  さようなら」との文字がプリントされている。また、裏地１２の空白部には、参列者がフェルトペン等を用いて故人へのメッセージ（寄せ書き）を記載することができる。
【００１５】
表地１１と裏地１２は、一方の長辺に設けられた第１非縫合部１３１及びそれに対向する長辺に設けられた第２非縫合部１３２を除いて、外周部が縫合されている（縫い目は図示せず）。また、第１非縫合部１３１の一端と第２非縫合部１３２の一端を結ぶ線１４１、及び第１非縫合部１３１の他端と第２非縫合部１３２の他端を結ぶ線１４２において、表地１１の裏地側の面１１１と裏地１２の表地側の面１２１が縫合されている（図２）。これにより、表地１１と裏地１２の間に開口が形成される。第２非縫合部１３２は第１非縫合部１３１よりも長く、これにより、前記開口は第２非縫合部１３２側から第１非縫合部１３１側に向かって狭くなっている。
【００１６】
裏地１２の帯の両端には両面接着テープ（固定手段）１５のうちの一方の面が貼り付けられている。両面接着テープ１５の他方の面には、棺用掛帯１０の使用前には保護シートが付けられている。表地１１の帯の両端には装飾用の房１６が取り付けられている。
【００１７】
本実施例の棺用掛帯１０の使用方法を、棺２１上に花束２３を載置する場合を例として、図３及び図４を用いて説明する。参列者が棺２１内の故人に別れを告げた後、棺２１に蓋２２を取り付ける。なお、裏地１２にメッセージ（寄せ書き）を記載する場合には、この時点までに行っておく。次に、棺用掛帯１０を、帯の長さ方向が蓋２２の幅方向を向くように蓋２２の上に掛ける。そして、帯の両端にある両面接着テープ１５の保護シートを剥がし、接着面を棺２１の両側面に貼付する（図３(a)）。これにより、棺用掛帯１０は棺２１に固定される（図３(b)）。
【００１８】
次に、花束２３を第２非縫合部１３２側から開口に挿入する。これにより、花束２３は棺用掛帯１０の表地１１及び裏地１２の間に保持される。ここで、花束２３の下端にある茎は、開口を貫通させ、第１非縫合部１３１から外部に先端を突出させる（図３(c)）。ここで、第２非縫合部１３２が第１非縫合部１３１よりも長いため、花２３２の部分が茎２３１の部分よりも拡がっていても、花束２３を開口で保持することができる（図４）。なお、花束２３の長さが比較的短い場合には、茎２３１の先端を第１非縫合部１３１から外部に突出させる必要はない。
【００１９】
このように、棺用掛帯１０が棺２１に固定されると共に、花束２３が棺用掛帯１０で保持されるため、花束２３は出棺時等においても棺２１の蓋２２の上から落下することがない。
【００２０】
ここまでは棺２１上に花束２３を載置する場合を例に説明したが、花束２３の代わりに故人が生前使用していた杖やスポーツ用品（バット、ゴルフクラブ等）等の故人ゆかりのものを載置することもできる。
【００２１】
本考案に係る棺用掛帯は上記実施例のものには限られない。
例えば、第１非縫合部と第２非縫合部は同じ長さであってもよい。また、非縫合部は２つの長辺のうちの一方のみ（即ち１つのみ）設けてもよい。表地及び裏地の形状は長方形や六角形等であってもよい。固定手段には、ピンや面ファスナー等を用いることができる。
【符号の説明】
【００２２】
１０…棺用掛帯
１１…表地
１１１…表地の裏地側の面
１２…裏地
１２１…裏地の表地側の面
１３１…第１非縫合部
１３２…第２非縫合部
１５…両面接着テープ
１６…房
２１…棺
２２…棺の蓋
２３…花束
２３１…花束の茎
２３２…花束の花
【図１】
0003153392.tif 000003
【図２】
0003153392.tif 000004
【図３】
0003153392.tif 000005
【図４】
0003153392.tif 000006